(57)【要約】【課題】  非点収差を無くすための回転調整時間を短縮化すると共に容易かつ精度良く回転調整を行う。【解決手段】  樹脂成型された対物レンズ１６などの軸対称レンズにおいて、周辺部に凹部１６ｂを設けることにより、光ディスク記録面上に形成される集光スポットが最良となるように対物レンズ１６を回転調整する際に、従来のレンズに対するピンセットなどによるの回転調整に比べて対物レンズ１６が滑りにくく、容易に精度良く回転調整を行って非点収差を抑制することができる。【選択図】  図１
2006064886.tif 000002
【特許請求の範囲】
【請求項１】
樹脂を成型して作製される軸対称レンズにおいて、周辺部に凹部および凸部の少なくとも一方が複数配設されているレンズ。
【請求項２】
前記凹部および凸部の少なくとも一方は、レンズ光軸を対称軸として互いに軸対称位置に配設されている請求項１に記載のレンズ。
【請求項３】
前記凹部および凸部の少なくとも一方は、光束用部分以外の部分に設けられている請求項１または２に記載のレンズ。
【請求項４】
前記凹部は、レンズ側面部に切り欠き状に設けられている請求項１〜３のいずれかに記載のレンズ。
【請求項５】
前記凸部は、レンズ上面部に設けられている請求項１〜３のいずれかに記載のレンズ。
【請求項６】
前記凹部および凸部が交互に連続的に配設されたギア部がレンズ側面部に形成されている請求項１または３に記載のレンズ。
【請求項７】
対物レンズである請求項１〜６のいずれかに記載のレンズ。
【請求項８】
前記凹部または／および前記凸部はレンズコバ部に設けられている請求項７に記載のレンズ。
【請求項９】
コリメートレンズである請求項１〜６のいずれかに記載のレンズ。
【請求項１０】
前記凹部または／および前記凸部は取り付け基準面上に設けられている請求項９に記載のレンズ。
【請求項１１】
請求項１〜１０のいずれかに記載のレンズと、該レンズを保持するレンズ保持部材とを備えたレンズ装置。
【請求項１２】
光束を発生する光源と、記録媒体からの反射光を受光する受光手段と、該記録媒体の表面上に該光束を集光させると共に、該受光手段の受光表面上に該反射光を集光させる請求項１〜１０のいずれかに記載のレンズとを備えた光学ピックアップ装置。
【請求項１３】
前記レンズは、
前記光源からの光を平行光に変換するコリメートレンズと、
該コリメートレンズからの平行光を前記記録媒体の表面上に集光させる対物レンズとを有する請求項１２に記載の光学ピックアップ装置。
【請求項１４】
請求項１２または１３に記載の光学ピックアップ装置の組立方法であって、
前記記録媒体の表面上に形成される集光スポットが最良となるように、前記レンズを回転調整することにより該レンズの設置角度を調整して該レンズを組み付ける光学ピックアップ装置の組立方法。
【請求項１５】
前記記録媒体の表面上に形成される集光スポットに非点収差が生じないように、レンズ光軸を回転中心として前記レンズを回転させて所定の角度に調整して該レンズを組み付ける請求項１４に記載の光学ピックアップ装置の組立方法。
【請求項１６】
前記レンズの凹部または凸部の少なくとも一部に嵌合可能とする冶具を用いて該レンズの回転調整を行う請求項１４または１５に記載の光学ピックアップ装置の組立方法。
【発明の詳細な説明】
【技術分野】
【０００１】
本発明は、例えば光ディスクなどの円形の情報記録媒体に対して情報記録または情報再生を可能とする光学ディスク装置に用いられる光学ピックアップ装置およびその組立方法、この光学ピックアップ装置に用いられる樹脂製などのレンズ、これが組み付けられたレンズ装置に関する。
【背景技術】
【０００２】
従来、光ディスクへの情報の記録または、光ディスクからの情報の再生を行う光ディスク装置のドライブ装置には、光学ピックアップ装置が搭載されている。以下に、従来の光学ピックアップ装置の構成例について、図８（ａ）および図８（ｂ）を参照しながら詳細に説明する。
【０００３】
図８（ａ）は従来の厚型タイプの光学ピックアップ装置の構成例を示す要部断面図であり、図８（ｂ）は従来の薄型タイプの光学ピックアップ装置の構成例を示す要部断面図である。
【０００４】
まず、厚型タイプの光学ピックアップ装置について説明する。
【０００５】
図８（ａ）に示すように、厚型タイプの光学ピックアップ装置１０Ａは、レーザビーム（光束）を発生させる半導体レーザなどの光源および、情報記録媒体である光ディスク４からの反射ビームを受光する受光素子を備えた光学ユニット１と、この光源からの光を平行光にするコリメートレンズ２とがハウジング３に取り付けられて保持されており、コリメートレンズ２と光ディスク４間に、レンズホルダ５に取り付けられ、コリメートレンズ２からの平行光を光ディスクの表面上に集光させる対物レンズ６が配置されている。
【０００６】
対物レンズ６は、対物レンズ駆動機構の可動部であるレンズホルダ５に固定されている。この対物レンズ駆動機構は、コイルに通電することにより対物レンズ６をレンズ光軸Ｃの方向および光ディスク４の表面に沿った半径方向にそれぞれ独立して駆動させることができて、フォーカス制御およびトラッキング制御を行う。
【０００７】
上記構成により、光学ユニット１に設けられた光源からのレーザビームは、コリメートレンズ２さらには対物レンズ６を通って光ディスク４の表面上に照射されて反射され、その反射ビームは、対物レンズ６からコリメートレンズ２を通って光学ユニット１に設けられた受光素子の表面上に戻って受光される。このとき、対物レンズ駆動機構により対物レンズ６を光ディスク４に接近させたり離間させたりしてフォーカス制御を行うと共に、光ディスク４の表面に沿って移動させてトラッキング制御を行っている。
【０００８】
次に、薄型タイプの光学ピックアップ装置について説明する。
【０００９】
図８（ｂ）に示すように、薄型タイプの光学ピックアップ装置１０Ｂは、光学ユニット１とコリメートレンズ２とが光ディスク４の表面と平行な方向に配置されており、コリメートレンズ２と対物レンズ６との間には反射ミラー７が配置されて、反射ミラー７により光の方向がコリメートレンズ２の水平光軸と対物レンズ６の垂直光軸Ｃとの間で９０度の角度で変化する。
【００１０】
上記構成により、光学ユニット１に設けられた光源からのレーザビームは、コリメートレンズ２を通って、反射ミラー７で反射して９０度方向が変化した後、対物レンズ６を通って光ディスク４の表面上に照射されて反射される。その反射ビームは、対物レンズ６を通って、反射ミラー７によって反射されて９０度方向が変化した後、コリメートレンズ２を通って光学ユニット１に設けられた受光素子に戻って受光される。
【００１１】
このように、図８（ｂ）に示すように光学ユニット１とコリメートレンズ２とがディスク４の表面と平行な方向に配置されてハウジング３Ｂに取り付けられているため、図８（ａ）に示すように光学ユニット１とコリメートレンズ２とがディスク４の表面と垂直な方向に配置されてハウジング３に取り付けられている構成と比べて、装置の薄型化を図ることができる。
【００１２】
このような光学ピックアップ装置１０Ａ，１０Ｂでは、対物レンズ６およびコリメートレンズ２などの軸対称レンズとしては、コストダウンを図るため、一般に、樹脂を射出成形して作製されるプラスチックレンズが使用されている。
【００１３】
このようなプラスチックレンズは、成形金型を用いてそのゲートからキャビティ内に溶融樹脂が射出され、これを冷却固化することにより作製されるため、モールド成形時における樹脂の流れ方などの影響によって、光学的な歪（非点収差）が発生しやすい。また、一つの成形金型に複数のキャビティが設けられている場合には、キャビティ毎に樹脂流れの微妙な違いが生じて、キャビティ毎に非点収差が異なるものとなる。さらに、同じキャビティから作製されるレンズであっても、ロット毎に成形条件にばらつきが生じてロット毎に非点収差が変化する場合も多い。
【００１４】
このような非点収差は、光学ピックアップ装置１０Ａ，１０Ｂの性能（ジッターなど）に影響し、性能が不安定化する要因となるため、対物レンズ６やコリメートレンズ２などの組み付けに際しては、光ディスク４の記録表面上に形成される集光スポットが最良となるように、また、非点収差をなくすようにレンズ取り付けを行う必要がある。
【００１５】
通常、光学ピックアップ装置１０Ａ，１０Ｂの量産時には、ピンセットなどを用いて、対物レンズ６やコリメートレンズ２などの各レンズを、そのレンズ光軸Ｃを回転中心として回転させて、光ディスク４の記録表面に形成される集光スポットが最良となる角度を調べて、その所定の角度にレンズ取り付けを行っている。
【００１６】
図９（ａ）は従来の光学ピックアップ装置における対物レンズ部分を示す平面図であり、図９（ｂ）はその要部断面図である。
【００１７】
図９（ａ）および図９（ｂ）に示すように、対物レンズ６は、レンズコバ６ａがレンズホルダ５に嵌め込まれており、対物レンズ６のレンズ光軸Ｃを回転中心として図に矢印で示すレンズ回転方向Ｒに対物レンズ６を回転させて、光ディスク４の記録表面上に形成される集光スポットが最良となるように対物レンズ６の設置角度が調整される。
【００１８】
図１０（ａ）は従来の厚型タイプの光学ピックアップ装置１０Ａにおけるコリメートレンズ部分を示す平面図であり、図１０（ｂ）はその要部断面図である。
【００１９】
図１１（ａ）は従来の薄型タイプの光学ピックアップ装置１０Ｂにおけるコリメートレンズ部分を示す側面図であり、図１１（ｂ）はその要部平面図であり、図１１（ｃ）は図１１（ａ）と９０°交差する方向から見た要部断面図である。
【００２０】
図１０および図１１において、コリメートレンズ２は、その保持部であるハウジング３の所定の取り付け部に嵌め込まれており、コリメートレンズ２のレンズ光軸Ｃを回転中心として図に矢印で示すレンズ回転方向Ｒにコリメートレンズ２が回転可能とされて、光ディスク４の記録面上に形成される集光スポットが最良となるように設置角度の調整が為される。
【００２１】
このように、レンズを光軸中心に回転させてレンズの最適な設置方向を調整してレンズを組む付ける光学ピックアップについて、特許文献１に記載されている。
【特許文献１】特開２００１−３１２８３４号公報
【発明の開示】
【発明が解決しようとする課題】
【００２２】
上記従来の構成では、図９に示すように対物レンズ６や、図１０および図１１に示すようにコリメートレンズを光学ピックアップに組み付ける際に、非点収差をなくすために、ピンセットなどにより表面に凹凸のないレンズの回転調整を行う場合に、レンズ表面が滑りやすくてレンズ設置方向の調整時間が長くかかったり、また、レンズを精度良く回転調整を行うことが困難であるという問題があった。
【００２３】
本発明は、上記従来の問題を解決するもので、回転調整時間を短縮化すると共に、容易かつ精度良く回転調整できるレンズ、これが保持されたレンズ装置、これを用いた光学ピックアップ装置およびその組立方法を提供することを目的とする。
【課題を解決するための手段】
【００２４】
本発明のレンズは、樹脂を成型して作製される軸対称レンズにおいて、周辺部に凹部および凸部の少なくとも一方が複数配設されており、そのことにより上記目的が達成される。
【００２５】
また、好ましくは、本発明のレンズにおける凹部および凸部の少なくとも一方は、レンズ光軸を対称軸として互いに軸対称位置に配設されている。
【００２６】
さらに、好ましくは、本発明のレンズにおける凹部および凸部の少なくとも一方は、光束用部分以外の部分に設けられている。
【００２７】
さらに、好ましくは、本発明のレンズにおける凹部は、レンズ側面部に切り欠き状に設けられている。
【００２８】
さらに、好ましくは、本発明のレンズにおける凸部は、レンズ上面部に設けられている。
【００２９】
さらに、好ましくは、本発明のレンズにおける凹部および凸部が交互に連続的に配設されたギア部がレンズ側面部に形成されている。
【００３０】
さらに、好ましくは、本発明のレンズにおける凹部または／および前記凸部はレンズコバ部に設けられている。
【００３１】
さらに、好ましくは、本発明のレンズは対物レンズまたはコリメートレンズである。
【００３２】
さらに、好ましくは、本発明のレンズにおける凹部または／および前記凸部は取り付け基準面上に設けられている。
【００３３】
本発明のレンズ装置は、請求項１〜１０のいずれかに記載のレンズと、該レンズを保持するレンズ保持部材とを備えており、そのことにより上記目的が達成される。
【００３４】
本発明の光学ピックアップ装置は、光束を発生する光源と、記録媒体からの反射光を受光する受光手段と、該記録媒体の表面上に該光束を集光させると共に、該受光手段の受光表面上に該反射光を集光させる請求項１〜１０のいずれかに記載のレンズとを備えており、そのことにより上記目的が達成される。
【００３５】
また、好ましくは、本発明の光学ピックアップ装置におけるレンズは、前記光源からの光を平行光に変換するコリメートレンズと、該コリメートレンズからの平行光を前記記録媒体の表面上に集光させる対物レンズとを有する。
【００３６】
本発明の光学ピックアップ装置の組立方法は、請求項１２または１３に記載の光学ピックアップ装置の組立方法であって、前記記録媒体の表面上に形成される集光スポットが最良となるように、前記レンズを回転調整することにより該レンズの設置角度を調整して該レンズを組み付けるものであり、そのことにより上記目的が達成される。
【００３７】
また、好ましくは、本発明の光学ピックアップ装置の組立方法において、前記記録媒体の表面上に形成される集光スポットに非点収差が生じないように、レンズ光軸を回転中心として前記レンズを回転させて所定の角度に調整して該レンズを組み付ける。
【００３８】
さらに、好ましくは、本発明の光学ピックアップ装置の組立方法において、前記レンズの凹部または凸部の少なくとも一部に嵌合可能とする冶具を用いて該レンズの回転調整を行う。
【００３９】
上記構成により、以下に、本発明の作用について説明する。
【００４０】
本発明にあっては、樹脂成型された軸対称レンズにおいて、レンズ周辺部に凹部や凸部が設けられているため、光ディスクなどの記録媒体の記録表面上に形成される集光スポットが最良となり、非点収差が生じないようにレンズを回転調整する際に、表面に凹凸のない従来のレンズに対するピンセットなどによるの回転調整に比べて、ピンセットなどで表面の凹凸に引っ掛けることができるのでレンズが滑りにくく、容易に精度良く回転調整を行って非点収差を抑制することが可能となる。
【００４１】
これらの凹部または凸部は、レンズ光軸を対称軸として互いに軸対称な位置に配置されているので、樹脂成型時にバランスが良くなって歪なく容易かつ良好に樹脂成型を行うことが可能となる。
【００４２】
また、凹部または凸部を光束が通過しない部分に設けるので、情報を乗せる光束に影響が生じない。例えば、対物レンズの場合には、凹部または凸部をレンズコバに設けることが可能となる。また、コリメートレンズの場合には、凹部または凸部を取り付け基準面上（上面）に設けることが可能となる。
【００４３】
さらに、凹部をレンズの側部に切り欠き状に設ければ、上部から回転調整を容易に制御することが可能となる。また、凸部をレンズの上面部に設ければ、樹脂成型時に樹脂成型機からレンズを離形し易くなる。
【００４４】
さらに、凹部および凸部によりギア部を構成すれば、ギア部を用いてレンズの回転調整を精密かつ自動にて行うことが可能となるため、作業効率が良くなる。
【００４５】
レンズの回転調整は、例えば凹部または凸部の一部に嵌合する冶具を用いて容易かつ正確に行うことも可能となる。
【発明の効果】
【００４６】
以上説明したように、本発明によれば、光学ピックアップ装置において、周辺部に凹部および凸部の少なくとも一方を複数設けた樹脂製のレンズを用いるため、レンズの回転調整の際にレンズが滑りにくく、容易かつ精度良く回転調整を行うことができる。
【発明を実施するための最良の形態】
【００４７】
以下に、本発明のレンズを対物レンズに適用した場合の実施形態１，２と、本発明のレンズをコリメートレンズに適用した場合の実施形態３〜７について、図面を参照しながら詳細に説明する。なお、以下の図において、従来技術と同様の機能を有する部材については同じ符号を付している。
（実施形態１）
図１（ａ）は、本発明のレンズの実施形態１として対物レンズの構成例を示す平面図であり、図１（ｂ）はその要部断面図である。
【００４８】
図１（ａ）および図１（ｂ）に示すように、本実施形態１の対物レンズ１６は、樹脂成型されたプラスチックレンズであって、図９に示す従来の対物レンズ６の場合と同様に、レンズコバ１６ａがレンズホルダ５の所定位置の凹部内に嵌め込まれている。この対物レンズ１６のレンズ周辺縁部（レンズコバ１６ａ）の均等位置に複数箇所（ここでは４箇所）、切り欠き状の凹部１６ｂが設けられており、この凹部１６ｂによってレンズ光軸Ｃを回転中心として図に矢印で示すレンズ回転方向Ｒに対物レンズ１６が容易かつ正確に回転調整可能とされて、光ディスク４の記録面上（表面上）に形成される集光スポットが最良となるように対物レンズ１６の設置角度の調整が為され得るようになっている。
【００４９】
上記構成により、対物レンズ１６の凹部１６ｂを用いて対物レンズ１６の回転調整が行われる。このため、従来のレンズに対するピンセットなどによるの回転調整に比べてレンズが滑りにくく、対物レンズ１６を容易に精度良く回転調整することが可能となって、非点収差が生じないように対物レンズ１６をハウジング５に設置することができる。
【００５０】
また、凹部１６ｂは、レンズ光軸Ｃを対称軸として互いに軸対称な位置に複数箇所（ここでは４箇所）配置されているため、樹脂成型時にバランスが良くなって歪が少なく容易かつ良好に樹脂成型を行うことができる。
【００５１】
さらに、凹部１６ｂは、光束が通過しない外周縁部分のレンズコバ１６ａに設けられているため、情報を乗せる光束（レーザビーム）に影響が生じることなく、また、レンズ光軸Ｃへの影響も生じない。
【００５２】
さらに、凹部１６ｂがレンズ側部に切り欠き状に設けられているため、レンズ側部の凹部１６ｂを用いてレンズホルダ５に対する上方からの対物レンズ６の回転調整を可能とし、対物レンズ６の設置方向を容易かつ正確に制御することができる。この対物レンズ６の回転調整は、例えば凹部１６ｂの一部に嵌合する冶具を用いて容易かつ正確に行うことができる。
（実施形態２）
図２（ａ）は、本発明のレンズの実施形態２として対物レンズの他の構成例を示す平面図であり、図２（ｂ）はその要部断面図である。
【００５３】
図２（ａ）および図２（ｂ）に示すように、本実施形態２の対物レンズ２６は、樹脂成型されたプラスチックレンズであって、図９に示す従来の対物レンズ６の場合と同様に、レンズコバ２６ａがレンズホルダ５の所定位置の凹部内に嵌め込まれている。この対物レンズ２６のレンズ周辺縁部（レンズコバ２６ａ）の均等位置に複数箇所（ここでは４箇所）の凸部２６ｂが設けられており、この凸部２６ｂによってレンズ光軸Ｃを回転中心として図に矢印で示すレンズ回転方向Ｒに対物レンズ２６が容易かつ良好に回転されて、光ディスク４の記録面上に形成される集光スポットが最良となるように対物レンズ２６の設置角度の調整が為されるようになっている。
【００５４】
上記構成により、対物レンズ２６の各凸部２６ｂを用いて対物レンズ２６の回転調整が行われる。このため、従来のレンズに対するピンセットなどによるの回転調整に比べて対物レンズ２６が滑りにくく、対物レンズ２６を容易に精度良く回転調整を行って非点収差が生じないように対物レンズ２６をハウジング５に設置することができる。
【００５５】
また、凸部２６ｂは、レンズ光軸Ｃを対称軸として互いに軸対称な位置に４箇所配置されているため、樹脂成型時にバランスが良くなって歪が少なく容易かつ良好に樹脂成型を行うことができる。
【００５６】
さらに、凸部２６ｂは、光束が通過しないレンズ外周部分（光束用部分以外の部分）のレンズコバ２６ａ上に設けられているため、情報を乗せる光束に影響が生じることなく、また、レンズ光軸Ｃへの影響も生じることがない。
【００５７】
さらに、凸部２６ｂがレンズ上面部に設けられているため、金型設計上も、樹脂成型時に成型機から対物レンズ２６を取り出し易くなる（離形し易い）。この対物レンズ２６の回転調整は、例えば凸部２６ｂの一部に嵌合または係合する冶具を用いて容易かつ正確に行うことができる。
【００５８】
なお、上記実施形態１，２では、レンズ周辺部に凹部１６ｂまたは凸部２６ｂを均等位置に４箇所ずつ設けているが、凹部１６ｂまたは凸部２６ｂの数（６つまたは８つでもよく、偶数さらには複数でもよい）はこれらに限定されるものではない。また、凹部１６ｂおよび凸部２６ｂを組み合せて設けてもよい。さらに、凹部１６ｂおよび凸部２６ｂを交互に連続させてギア部を構成してもよく、このギア部を用いて回転調整を自動で行うこともできる。このため、作業性の効率が良くなる。
（実施形態３）
図３（ａ）は、本発明のレンズの実施形態３として厚型タイプの光学ピックアップ装置に用いられるコリメートレンズの構成例を示す平面図であり、図３（ｂ）はその要部断面図である。
【００５９】
図３（ａ）および図３（ｂ）に示すように、本実施形態３のコリメートレンズ３２は、樹脂成型されたプラスチックレンズであって、図１０に示す従来のコリメートレンズ２の場合と同様に、ハウジング３の所定の取り付け部の凹部内に嵌め込まれている。このコリメートレンズ３２のレンズ周辺縁部３２ａの均等位置に複数箇所（ここでは４箇所）の切り欠き状の凹部３２ｂが設けられており、この凹部３２ｂによってレンズ光軸Ｃを回転中心として図に矢印で示すレンズ回転方向Ｒにコリメートレンズ３２が容易かつ正確に回転調整されて、光ディスク４の記録面上に形成される集光スポットが最良となるようにコリメートレンズ３２の設置角度の調整が為されるようになっている。
【００６０】
上記構成により、本実施形態３では、この凹部３２ｂを用いてコリメートレンズ３２の回転調整が行われる。このため、従来のレンズに対するピンセットなどによるの回転調整に比べてレンズが滑りにくく、コリメートレンズ３２を容易に精度良く回転調整を行って非点収差が生じないようにコリメートレンズ３２をハウジング３に設置（固定）することができる。
【００６１】
また、凹部３２ｂは、レンズ光軸Ｃを対称軸として互いに軸対称な位置に複数箇所（ここでは４箇所）配置されているため、樹脂成型時にバランスが良くなって歪が少なく容易かつ良好に樹脂成型を行うことができる。
【００６２】
さらに、凹部３２ｂは、光束が通過しないレンズ周辺縁部（光束用部分以外の部分）に設けられているため、情報を乗せる光束に影響が生じない。また、凹部３ａは取り付け基準面上（表面上）に設けられているため、レンズ光軸への影響も生じない。
【００６３】
さらに、凹部３２ｂがコリメートレンズ３２の側部に切り欠き状に設けられているため、コリメートレンズ３２の上方からの回転調整を容易かつ正確に制御することができる。このコリメートレンズ３２の回転調整は、例えば凹部３２ｂの一部に嵌合または係合する冶具を用いて容易かつ正確に行うことができる。
（実施形態４）
図４（ａ）は、本発明のレンズの実施形態４として厚型タイプの光学ピックアップ装置に用いられるコリメートレンズの他の構成例を示す平面図であり、図４（ｂ）はその要部断面図である。
【００６４】
図４（ａ）および図４（ｂ）に示すように、本実施形態４のコリメートレンズ４２は、樹脂成型されたプラスチックレンズであって、図１０に示す従来のコリメートレンズ２の場合と同様に、ハウジング３の所定の取り付け部の凹部内に嵌め込まれている。このコリメートレンズ４２のレンズ周辺縁部４２ａの均等位置に複数箇所（ここでは４箇所）の凸部４２ｂが設けられており、この凸部４２ｂによってレンズ光軸Ｃを回転中心として図に矢印で示すレンズ回転方向Ｒにコリメートレンズ４２が回転されて、光ディスク４の記録面上に形成される集光スポットが最良となるようにコリメートレンズ４２の設置角度の調整が為されるようになっている。
【００６５】
上記構成により、コリメートレンズ４２の凸部４２ｂを用いてコリメートレンズ４２の回転調整が行われる。このため、従来のレンズに対するピンセットなどによるの回転調整に比べてコリメートレンズ４２を滑りにくく、コリメートレンズ４２を容易に精度良く回転調整して非点収差が生じないようにコリメートレンズ４２をハウジング３に設置（固定）することができる。
【００６６】
また、凸部４２ｂは、レンズ光軸Ｃを対称軸として互いに軸対称な位置に４箇所配置されているため、樹脂成型時にバランスが良くなって歪が少なく容易かつ良好に樹脂成型を行うことができる。
【００６７】
さらに、凸部４２ｂは、光束が通過しないコリメートレンズ４２のレンズ周辺部４２ａ（光束用部分以外の部分）に設けられているため、情報を乗せる光束に影響が生じない。また、凸部４２ｂは取り付け基準面上（表面上）に設けられているため、レンズ光軸Ｃへの影響も生じない。
【００６８】
さらに、凸部４２ｂがコリメートレンズ４２の上面部に設けられているため、樹脂成型時に樹脂成型機からコリメートレンズ４２を取り出し易くなる。このコリメートレンズ４２の回転調整は、例えば凸部４２ｂの一部に嵌合または係合する冶具を用いて容易かつ正確に行うこともできる。
【００６９】
なお、上記実施形態３，４では、コリメートレンズ３２，４２にそれぞれ、凹部３２ｂまたは凸部４２ｂをそれぞれ４箇所ずつ設けているが、凹部３２ｂまたは凸部４２ｂの数（６つまたは８つでもよく、偶数さらには複数でもよい）はこれらに限定されるものではない。また、凹部３２ｂおよび凸部４２ｂを組み合せて設けてもよい。さらに、凹部３２ｂおよび凸部４２ｂを交互に連続させてギア部を構成してもよく、このギア部を用いて回転調整を自動で行うこともできる。このため、作業性の効率が良くなる。この場合を、次の実施形態５にて説明する。
（実施形態５）
図５（ａ）は、本発明のレンズの実施形態５として厚型タイプの光学ピックアップ装置に用いられるコリメートレンズの更に他の構成例を示す平面図であり、図５（ｂ）はその要部断面図である。
【００７０】
図５（ａ）および図５（ｂ）に示すように、本実施形態５のコリメートレンズ５２は、樹脂成型されたプラスチックレンズであって、図１０に示す従来のコリメートレンズ２の場合と同様に、ハウジング３の所定の取り付け部の凹部内に嵌め込まれている。このコリメートレンズ５２のレンズ周辺部（レンズ外周部）５２ａに、凹部と凸部が交互に連続的に形成されたギア部５２ｂが設けられており、このギア部５２ｂによってレンズ光軸Ｃを回転中心として図に矢印で示すレンズ回転方向Ｒにコリメートレンズ５２が回転可能とされて、光ディスク４の記録面上に形成される集光スポットが最良となるようにコリメートレンズ５２の設置角度が調整される。
【００７１】
上記構成により、コリメートレンズ５２のギア部５２ｂを用いてコリメートレンズ５２の回転調整が行われる。このため、従来のレンズに対するピンセットなどによるの回転調整に比べてコリメートレンズ５２が滑りにくく、コリメートレンズ５２を容易に精度良く回転調整して非点収差が生じないようにコリメートレンズ５２をハウジング３に設置することができる。
【００７２】
また、ギア部５２ｂは、レンズ光軸Ｃを対称軸として軸対称な位置に配置（外周部に形成）されているため、樹脂成型時にバランスが良くなって歪が少なく容易かつ良好に樹脂成型を行うことができる。
【００７３】
さらに、ギア部５２ｂは、光束が通過しないレンズ周辺部５２ａ（光束用部分以外の部分）に設けられているため、情報を重畳させる光束に影響が生じない。また、ギア部５２ｂは取り付け基準面上（表面上）に設けられているため、レンズ光軸Ｃへの影響も生じない。
【００７４】
さらに、ギア部５２ｂがコリメートレンズ５２の側面部に設けられているため、樹脂成型時に樹脂成型機からコリメートレンズ５２を取り出し易くなる。このコリメートレンズ５２の回転調整は、例えばギア部５２ｂの一部に嵌合するギアが設けられた冶具８を用いて手動または自動にて容易かつ正確に行うことができる。
（実施形態６）
図６（ａ）は、本発明のレンズの実施形態６として薄型タイプの光学ピックアップ装置に用いられるコリメートレンズの構成例を示す側面図であり、図６（ｂ）はその平面図であり、図６（ｃ）は図６（ａ）と９０°交差する方向から見た要部断面図である。
【００７５】
図６（ａ）〜図６（ｃ）に示すように、本実施形態６のコリメートレンズ６２は、樹脂成型されたプラスチックレンズであって、図１１に示す従来のコリメートレンズ２の場合と同様に、ハウジング３Ｂの所定の取り付け部の凹部内に嵌め込まれている。このコリメートレンズ６２のレンズ周辺縁部６２ａの均等位置に複数箇所（ここでは４箇所）の凸部６２ｂが設けられており、この凸部６２ｂによってレンズ光軸Ｃを回転中心として図に矢印で示すレンズ回転方向Ｒにコリメートレンズ６２が回転可能とされて、光ディスク４の記録面上に形成される集光スポットが最良となるようにコリメートレンズ６２の設置角度が調整されるようになっている。
【００７６】
上記構成により、コリメートレンズ６２の凸部６２ｂを用いてコリメートレンズ６２の回転調整が行われる。このため、従来のレンズに対するピンセットなどによるの回転調整に比べてコリメートレンズ６２を滑りにくく、コリメートレンズ６２を容易に精度良く回転調整して非点収差が生じないようにコリメートレンズ６２をハウジング３Ｂに設置することができる。
【００７７】
また、凸部６２ｂは、レンズ光軸Ｃを対称軸として互いに軸対称な位置に４箇所配置されているため、樹脂成型時にバランスが良くなって歪が少なく容易かつ良好に樹脂成型を行うことができる。
【００７８】
さらに、凸部６２ｂは、光束が通過しないレンズ周辺部６２ａ（光束用部分以外の部分）に設けられているため、情報を重畳させる光束に影響が生じない。また、凸部６２ｂはコリメートレンズ６２の取り付け基準面上に設けられているため、レンズ光軸Ｃへの影響も生じない。
【００７９】
さらに、凸部６２ｂがコリメートレンズ６２の上面部に設けられているため、樹脂成型時に樹脂成型機からコリメートレンズ６２を取り出し易くなる。このコリメートレンズ６２の回転調整は、例えば凸部６２ｂの一部に嵌合または係合する前述の冶具８（図５参照）を用いて行うことができる。
【００８０】
なお、本実施形態６では、レンズ周辺部６２ａに凸部６２ｂを４箇所ずつ設けているが、この凸部の数（６つまたは８つでもよく、偶数さらには複数でもよい）はこれらに限定されるものではない。また、上記実施形態１，３のように、レンズ周辺部に凹部を設けてもよく、凹部と凸部とを組み合せて設けてもよい。
（実施形態７）
図７（ａ）は、本発明のレンズの実施形態７として薄型タイプの光学ピックアップ装置に用いられるコリメートレンズの他の構成例を示す側面図であり、図７（ｂ）はその平面図であり、図７（ｃ）は、図７（ａ）と９０°交差する方向から見た要部断面図である。
【００８１】
図７（ａ）〜図７（ｃ）に示すように、本実施形態７のコリメートレンズ７２は、樹脂成型されたプラスチックレンズであって、図１１に示す従来のコリメートレンズ２の場合と同様に、ハウジング３Ｂの所定の取り付け部の凹部内に嵌め込まれている。このコリメートレンズ７２のレンズ周辺部７２ａに、凹部と凸部が交互に連続して形成されたギア部７２ｂが設けられており、このギア部７２ｂによってレンズ光軸Ｃを回転中心として図に矢印で示すレンズ回転方向Ｒにコリメートレンズ７２が回転可能とされて、光ディスク４の記録面上に形成される集光スポットが最良となるようにコリメートレンズ７２の設置角度が調整され得るようになっている。
【００８２】
上記構成により、コリメートレンズ７２のギア部７２ｂを用いてコリメートレンズ７２の回転調整が行われる。このため、従来のレンズに対するピンセットなどによるの回転調整に比べてコリメートレンズ７２が滑りにくく、コリメートレンズ７２を容易に精度良く回転調整できて非点収差が生じないようにコリメートレンズ７２をハウジング３Ｂに設置することができる。
【００８３】
また、ギア部７２ｂは、レンズ光軸Ｃを対称軸として軸対称な位置に配置されているため、樹脂成型時にバランスが良くなって歪が少なく容易かつ良好に樹脂成型を行うことができる。
【００８４】
さらに、ギア部７２ｂは、光束が通過しないレンズ周辺部７２ａ（光束用部分以外の部分）に設けられているため、情報が重畳される光束に影響が生じない。また、ギア部７２ｂはコリメートレンズ７２の取り付け基準面上に設けられているため、レンズ光軸Ｃへの影響も生じない。
【００８５】
さらに、ギア部７２ｂがコリメートレンズ７２の上面部に設けられているため、樹脂成型時に樹脂成型機からコリメートレンズ７２を取り出し易くなる。このコリメートレンズ７２の回転調整は、例えばギア部７２ｂの一部に嵌合または係合するギア部が設けられた前述の冶具８（図５参照）を用いて行うことができる。
【００８６】
以上により、上記実施形態１〜７によれば、樹脂成型された対物レンズ１６または２６やコリメートレンズ３２，４２，５２，６２または７２などの軸対称レンズにおいて、周辺部に凹部３２ｂや凸部４２ｂまたは６２ｂやギア部５２ｂまたは７２ｂを設けることにより、光ディスク記録面に形成される集光スポットが最良となるように対物レンズ１６または２６やコリメートレンズ３２，４２，５２，６２または７２を回転調整する際に、従来のレンズに対するピンセットなどによるの回転調整に比べて、ピンセットや各種治具などで表面の凹凸に引っ掛けたり勘合させたりすることができるので対物レンズ１６または２６やコリメートレンズ３２，４２，５２，６２または７２が滑りにくく、対物レンズ１６または２６やコリメートレンズ３２，４２，５２，６２または７２を容易に精度良く回転調整できて非点収差を抑制することができる。したがって、樹脂成型レンズを用いた光学ピックアップ装置において、非点収差を無くすための回転調整時間を短縮化すると共に精度良く回転調整を行うこともできる。
【００８７】
なお、上記実施形態１〜７では特に説明しなかったが、対物レンズ１６または２６やコリメートレンズ３２，４２，５２，６２または７２と、この対物レンズ１６または２６やコリメートレンズ３２，４２，５２，６２または７２を回転可能に保持するレンズ保持部材としてのハウジング３やハウジング３Ｂとによりレンズ装置が構成される。
【００８８】
さらに、図８にて説明したが、光束を発生する光源と、光ディスクなどの記録媒体からの反射光を受光する受光素子としての受光手段と、この録媒体の表面上に光束を集光させると共に、受光手段の受光表面上にその反射光を集光させるレンズが嵌め込まれたレンズ装置とを備えた光学ピックアップ装置が構成される。この場合に、レンズとしては、光源からの光束を平行光束に変換するコリメートレンズ３２，４２，５２，６２または７２と、このコリメートレンズ３２，４２，５２，６２または７２からの平行光束を光ディスクなどの記録媒体の表面上に集光させる対物レンズ１６または２６とを有している。
【００８９】
本発明の光学ピックアップ装置の組立方法としては、前述したように、光ディスクなどの記録媒体の表面上に形成される集光スポットが最良となるように、対物レンズ１６または２６と、コリメートレンズ３２，４２，５２，６２または７２とをそれぞれ回転調整することによりレンズの設置角度をそれぞれ調整して対物レンズ１６または２６と、コリメートレンズ３２，４２，５２，６２または７２とを所定位置にそれぞれ組み付ける。
【００９０】
また、本発明の光学ピックアップ装置の組立方法としては、前述したように、光ディスクなどの記録媒体の表面上に形成される集光スポットに非点収差が生じないように、レンズ光軸Ｃを回転中心としてレンズを回転させて所定の角度に調整して対物レンズ１６または２６と、コリメートレンズ３２，４２，５２，６２または７２とをそれぞれ組み付ける。
【００９１】
以上のように、本発明の好ましい実施形態１〜７を用いて本発明を例示してきたが、本発明は、この実施形態１〜７に限定して解釈されるべきものではない。本発明は、特許請求の範囲によってのみその範囲が解釈されるべきであることが理解される。当業者は、本発明の具体的な好ましい実施形態１〜７の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００９２】
本発明は、光ディスクに対して情報記録または情報再生を可能とする光学ディスク装置に用いられる光学ピックアップ装置およびその組立方法、この光学ピックアップ装置に用いられる樹脂製などのレンズ、これを組み込んだレンズ装置の分野において、周辺部に凹部および／または凸部を複数設けたレンズを用いることにより、容易に精度良く回転調整を行って非点収差の発生を防ぐことができる。このため、射出樹脂成型により作製されたプラスチックレンズからなる軸対称レンズを用いて、優れた性能を有する光学ピックアップ装置やこれを用いた光ディスク装置を低コストで作製することができる。
【図面の簡単な説明】
【００９３】
【図１】（ａ）は、本発明のレンズの実施形態１として対物レンズの構成例を示す平面図であり、（ｂ）はその要部断面図である。
【図２】（ａ）は、本発明のレンズの実施形態２として対物レンズの他の構成例を示す平面図であり、（ｂ）はその要部断面図である。
【図３】（ａ）は、本発明のレンズの実施形態３としてコリメートレンズの構成例を示す平面図であり、（ｂ）はその要部断面図である。
【図４】（ａ）は、本発明のレンズの実施形態４としてコリメートレンズの他の構成例を示す平面図であり、（ｂ）はその要部断面図である。
【図５】（ａ）は、本発明のレンズの実施形態５としてコリメートレンズの更に他の構成例を示す平面図であり、（ｂ）はその要部断面図である。
【図６】（ａ）は、本発明のレンズの実施形態６としてコリメートレンズの更に他の構成例を示す側面図であり、（ｂ）はその平面図、（ｃ）は（ａ）と９０°交差する方向から見た要部断面図である。
【図７】（ａ）は、本発明のレンズの実施形態７としてコリメートレンズの更に他の構成例を示す側面図であり、（ｂ）はその平面図、（ｃ）は（ａ）と９０°交差する方向から見た要部断面図である。
【図８】（ａ）は従来の厚型タイプの光学ピックアップ装置の構成例を示す要部断面図であり、（ｂ）は従来の薄型タイプの光学ピックアップ装置の構成例を示す要部断面図である。
【図９】（ａ）は従来の光学ピックアップ装置における対物レンズ部分を示す平面図であり、（ｂ）はその要部断面図である。
【図１０】（ａ）は従来の厚型タイプの光学ピックアップ装置におけるコリメートレンズ部分を示す平面図であり、（ｂ）はその要部断面図である。
【図１１】（ａ）は従来の薄型タイプの光学ピックアップ装置におけるコリメートレンズ部分を示す側面図であり、（ｂ）はその平面図であり、（ｃ）は（ａ）と９０°交差する方向から見た要部断面図である。
【符号の説明】
【００９４】
１  光学ユニット
３２，４２，５２，６２，７２ コリメートレンズ
３２ａ，４２ａ，５２ａ，６２ａ，７２ａ レンズ周辺部
３２ｂ 凹部
４２ｂ，６２ｂ 凸部
５２ｂ，７２ｂ ギア部
３，３Ｂ ハウジング
４  光ディスク
５  レンズホルダ（ハウジング）
１６，２６ 対物レンズ
１６ａ，２６ａ レンズコバ
１６ｂ 凹部
２６ｂ 凸部 
７  反射ミラー
８  治具
【図１】
2006064886.tif 000003
【図２】
2006064886.tif 000004
【図３】
2006064886.tif 000005
【図４】
2006064886.tif 000006
【図５】
2006064886.tif 000007
【図６】
2006064886.tif 000008
【図７】
2006064886.tif 000009
【図８】
2006064886.tif 000010
【図９】
2006064886.tif 000011
【図１０】
2006064886.tif 000012
【図１１】
2006064886.tif 000013